(57)【要約】【目的】本発明は波打ちぎわを歩きたいときやダイビング終了時にはしごを上がるときに靴をはいた感覚で歩くことができる歩行可能なフィンの提供を目的とする。【構成】本発明の歩行可能なフィンは本体の足底面を盛り上げてブレードを折畳位置に付勢するばねを収納したため軸とばねを収納しながらも本体の底厚さをできるだけ薄くすることが可能になった。【選択図】      図１
2005125044.tif 000002
【特許請求の範囲】
【請求項１】
その基部を中心に使用位置と折畳位置の両位置に切換可能なブレードが足側の本体に取り付けられ、該本体の足底面を盛り上げてブレードを折畳位置に付勢するばねを収納した歩行可能なフィン
【請求項２】
折畳位置が起立した位置である請求項１の歩行可能なフィン
【請求項３】
盛り上げる位置を足の土踏まずの位置にした請求項１の歩行可能なフィン
【請求項４】
ブレードが足側の本体に左右に揺動可能に取り付けられた請求項１の歩行可能なフィン
【請求項５】
その基部を中心に使用位置と折畳位置の両位置に切換可能なブレードが足側の本体に取り付けられ、使用時に本体とブレードが係合した状態でブレードの爪がその爪の上下幅の少なくとも倍以上本体の底面から上方に離れる位置にされた歩行可能なフィン
【請求項６】
折畳位置が起立した位置である請求項５の歩行可能なフィン
【請求項７】
本体の爪の下面に凹所が設けられた請求項５の歩行可能なフィン
【請求項８】
ブレードが足側の本体に右右に揺動可能に取り付けられた請求項５の歩行可能なフィン
【請求項９】
本体にブーツを固定した請求項１または５のダイビングフィン
【請求項１０】
本体に柔軟な材料のフットポケットを固定した請求項１または５のダイビングフィン
【発明の詳細な説明】
【発明の詳細な説明】
【産業上の利用分野】
【０００１】本発明は歩行可能なフィンに関するものである。
【背景技術】
【０００２】従来の水泳用またはダイビング用のフィンは足を入れる本体と水をかくブレードが一体になっており波打ちぎわを歩きたいときやダイビング終了時にはしごを上がるときに不便であった。
【発明が解決しようとする課題】
【０００３】本発明は以上の従来の課題を解決し波打ちぎわを歩きたいときやダイビング終了時にはしごを上がるときに靴をはいた感覚で歩くことができる歩行可能なフィンの提供を目的とする。
【課題を解決するための手段】
【０００４】本発明は以上の目的達成のためにその基部を中心に使用位置と折畳位置の両位置に切換可能なブレードが足側の本体に取り付けられた歩行可能なフィンを提案するものである。
【発明を実施するための最良の形態】
【０００５】以下本発明の歩行可能なフィンを図面に示す実施例に従い説明する。
図１乃至図３は本発明の歩行可能なフィンを示し、該フィンはその基部を中心に使用位置と起立した折畳位置の両位置に切換可能なブレード（４）が足側の本体（１）に取り付けられる。
ここでブレード（４）の使用位置とは図１乃至図３に示される様にブレード（４）が本体（１）の前方に延出した状態である一方ブレード（４）の折畳位置とは図９に示される様にブレード（４）が上方に起立した状態である。
次に本体（１）は本体基部（２）と該本体基部（２）の上に固定されたフットポケット（３）からなる。
フットポケット（３）は足（素足またはブーツをはいた状態のいずれか）を挿入するものであり通常はゴム等の柔軟な材料が用いられる。
図示の実施例では本体基部（２）に取り付けられたストラップ（２０）がフットポケット（３）の後方に設けられてフットポケット（３）から足を抜け止めしている。
次にブレード（４）は水かき部（６）と該水掻き部（６）の両側から後方に延びるステー（５）からなる。
該ステー（５）の基部は軸（１０）により回動可能に本体（１）の本体基部（２）に取り付けられる。
ここで軸（１０）には図４、図５及び図１１に示す様にブレード（４）を起立した折畳位置へと付勢するばね（１１）が装着される。
該ばね（１１）はそのねじり力でブレード（４）を起立した折畳位置へと付勢する機能を発揮するのであるが同時にブレード（４）が左右に揺動することを許容するものである。
すなわちブレード（４）は本体基部（２）に対して左右に揺動する動きが可能になっており、その揺動する動きの際に軸（１０）はばね（１１）と共に前後（フィンの前後方向）に撓むことになる。
次に図９に示される様に本体（１）の本体基部（２）の前方には爪（７）が設けられる。
爪（７）の詳細は図７（ａ）に示す様に横方向に傾斜していると共にその下面は凹所（７ａ）になっている。
一方ブレード（４）には本体基部（２）の爪（７）に対応した位置に爪（９）が設けられている。
図７（ａ）に示す様にブレード（４）の爪（９）は横方向に傾斜され、その結果ブレード（４）を起立した折畳位置から使用位置へと押し下げる際に本体基部（２）の爪（７）に沿って横方向にずれる動きが可能にされる。
また本体基部（２）には本体基部（２）の底面から上方に浮いた位置であって爪（７）の下方一定間隔を有して支持片（８）が設けられる。
該支持片（８）は図７（ｃ）に示す様に爪（７）との間にブレード（４）の爪（９）を挾持するものである。
また本体基部（２）の爪（７）の下面に設けられた凹所（７ａ）はブレード（４）の爪（９）を左右に動き止めするものである。
図示の実施例（図７（ｃ）参照）の様に支持片（８）が本体基部（２）の底面から上方に浮いた位置（つまり使用時に本体（１）とブレード（４）が係合した状態でブレード（４）の爪（９）がその爪（９）の上下幅の少なくとも倍以上本体（１）の底面から上方に離れる位置）にあることが望ましいが、その理由は砂や泥の浜や海底において該支持片（８）が砂や泥に沈むことを防止することにある。その場合にはその様な浜や海底においても支持片（８）の上面に砂や泥がかぶることなくブレード（４）の爪（９）が横から滑り込むことを可能にする。
次に支持片（８）に開口（８ａ）（図４及び図９参照）が設けられる理由はもしも支持片（８）の上面に砂や泥がかぶったとしても開口（８ａ）から落下する様に配慮されたものである。
次にブレード（４）が本体基部（２）に対して左右に揺動する動きが可能になっている理由は起立した折畳位置から使用位置へと切り換える操作時にまたはその逆の使用位置から折畳位置へと切り換える操作時にその動きが必要になるからである（図示の実施例はその様になっているがそれ以外の構成については後述する）。
まず起立した折畳位置から使用位置へと切り換える操作を説明する。
すなわち図９はブレード（４）を（起立した）折畳位置にして靴をはいた感覚で波打ちぎわ等を歩ける状態でありその状態から使用者は別の足でブレード（４）を踏んでばね（１１）の力に抗して下方に倒す。
これによりブレード（４）は下方に回動していくが同時に図７（ａ）から図７（ｂ）に示す様に爪（９）が本体基部（２）の爪（７）の傾斜に沿って横方向にずれるためその動きに伴って横方向に揺動していく。
ブレード（４）の揺動する動きは軸（１０）とばね（１１）を前後（フィンの前後方向）に撓ませるのであり、その結果ブレード（４）は中心位置に戻ろうとする力（撓みによる復元力）を受けながら下方に倒されていく。
最後に図７（ｃ）に示す様に爪（９）は本体基部（２）の爪（７）と支持片（８）の間に撓みによる復元力で横から滑り込み爪（７）の凹所（７ａ）において左右に動き止めされる。
この状態が図１乃至図３に示すブレート（４）が使用位置にある状態であって水泳またはダイビングが可能となる。
次に使用位置から折畳位置へと切り換える操作を説明する。
すなわちブレード（４）が使用位置にある状態で例えば使用者は従来のフィンと同様にダイビングをすることになる。
ダイビングが終了して図８に示す様にボート（１７）に上がる場合に使用者（１６）ははしご（１８）につかまる。
その状態で使用者はフィン（１５）の側面をはしご（１８）にあてて足をねじればよい。
これにより図５の一点鎖線に示す様にブレード（４）が本体基部（２）に対して横方向にねじられて（揺動して）ブレード（４）の爪（９）が本体基部（２）の爪（７）から外れる。
これによりばね（１１）の力でブレード（４）は図１０に示す様に上方に回動し起立した折畳位置になる。
すなわちブレード（４）のステー（５）が本体基部（２）のストッパー（１９）に当たってばね（１１）の力が受けられブレード（４）は停止する（この位置が折畳位置である）。
次にばね（１１）は軸（１０）に装着されると説明したが図４に示す様に本体（１）（その本体基部（２））の足底面を盛り上げて（盛り上げ部（２ａ））ばね（１１）は収納されている。
この理由は軸（１０）とばね（１１）を収納しながらも本体（１）の底厚さをできるだけ薄くするためである。
図示の実施例では盛り上げる位置を足の土踏まずの位置にしているが、その理由はその位置が最も使用者にとって違和感を感じないためである。
以上の実施例においてブレード（４）の爪（９）と本体基部（２）の爪（７）のいずれもは横方向に傾斜されており、その理由としてはブレード（４）を起立した折畳位置から使用位置へと押し下げる際にブレード（４）を横方向にずらせる（揺動させる）ためであると説明した。
しかしながら爪（９）と爪（７）のいずれも前後方向に傾斜させればブレード（４）を起立した折畳位置から使用位置へと押し下げる際にブレード（４）は前後方向に動かされることになる。
このブレード（４）の前後方向の動きは図示の実施例の構成によっても可能である（軸（１０）とばね（１１）が前後方向に動き可能であるため可能である）。以上の実施例では折畳位置が起立した位置であったがブレード（４）が後方に延出した位置を折畳位置（図示しないが要するに使用位置と反対方向）にすることも可能である。
その場合にはブレード（４）を本体（１）の底面を経て（使用者は足を上げる）後方に延出した位置まで回動させればよい。
またブーツ（図示せず）をフットポケット（３）の位置にそれに代えて本体（１）に固定しておけば足の保護に有効である（その場合はストラップ（２０）は不要である）。【０００６】
【発明の効果】
本発明の歩行可能なフィンの効果を次に列記する。
（１）本発明の歩行可能なフィンは本体の足底面を盛り上げてブレードを折畳位置に付勢するばねを収納した場合にはばねを収納しながらも本体の底厚さをできるだけ薄くすることが可能になった。
（２）本発明の歩行可能なフィンは使用時に本体とブレードが係合した状態でブレードの爪がその爪の上下幅の少なくとも倍以上底面から上方に離れる位置にした場合には砂や泥に沈むことなく使用できる。
【図面の簡単な説明】
【図１】本発明のフィンを使用位置において示す斜視図
【図２】本発明のフィンの平面図
【図３】本発明のフィンの側面図
【図４】図２のＡ−Ａ断面図
【図５】本発明のフィンの底面図
【図６】本発明のフィンの正面図
【図７】本発明のフィンの折畳位置から使用位置へと切り換える操作説明図
【図８】本発明のフィンをボートにおいて使用している状態の概念図
【図９】本発明のフィンを折畳位置において示す斜視図
【図１０】本発明のフィンの折畳位置と使用位置の相互関係を示す側面図
【図１１】本発明のフィンの底蓋を開けた底面の斜視図  １  本体  ２  本体基部  ２ａ  盛り上げ部  ３  フットポケット  ４  ブレード  ５  ステー  ６  水かき部  ７  爪  ７ａ  凹所  ８  支持片  ８ａ  開口  ９  爪  １０  軸  １１  ばね  １４  底蓋  １５  フィン  １６  使用者  １７  ボート  １８  はしご  １９  ストッパー  ２０  ストラップ
【図１】
2005125044.tif 000003
【図２】
2005125044.tif 000004
【図３】
2005125044.tif 000005
【図４】
2005125044.tif 000006
【図５】
2005125044.tif 000007
【図６】
2005125044.tif 000008
【図７】
2005125044.tif 000009
【図８】
2005125044.tif 000010
【図９】
2005125044.tif 000011
【図１０】
2005125044.tif 000012
【図１１】
2005125044.tif 000013